(57)【特許請求の範囲】
【請求項１】
電話機の機能または動作に係わる複数の設定項目を具備する電話端末であって、
他電話端末との通話中に自電話端末に対して特定操作が為されると前記他電話端末に対して前記他電話端末に設定されている所定の設定項目に係わる設定データの送信を要求する設定データ送信要求手段と、
前記他電話端末から前記設定項目に係わる設定データを受信すると当該設定データを自電話端末に設定する設定手段と、
他電話端末から通話中に自電話端末に対して設定データの送信を要求され、且つ、自電話端末に対して送信を許可する特定操作が為されると、自電話端末に設定されている所定の設定項目に係わる設定データを送信する設定データ送信手段と、
他電話端末から着信があった場合に当該着信がグループ着信、個別着信、外線着信のいずれかの着信形態であるかを記憶する着信形態記憶手段と、
前記着信形態の種別と前記複数の設定項目の各々を対応付けて記憶する着信種別対応設定項目記憶手段と、を有し、
他電話端末から通話中に自電話端末に対して設定データの送信を要求され、且つ、自電話端末に対して送信を許可する特定操作が為されると、着信種別対応設定項目記憶手段を参照して、自電話端末に設定されている設定項目の内、当該着信形態に係わる設定データを前記通話中の他電話端末に送信することを特徴とする設定データ通信機能を有する電話端末。
【発明の詳細な説明】
【技術分野】
【０００１】
本発明は電話端末に関し、特に、電話端末機能の設定を簡略化する技術に関する。
【背景技術】
【０００２】
特許文献１には、ＩＰ電話端末の設定および変更作業を効率的かつ正確に行う技術が開示されている。
【０００３】
この技術によれば、ＩＰ電話端末が、ＩＰ電話端末にＩＰアドレスを割り当てるＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバから、ＩＰ電話端末の設定データを蓄積するＦＴＰサーバのＩＰアドレスと設定データのファイル名を取得する。これによりＩＰ電話端末は、ＦＴＰサーバから設定データファイルをダウンロードして自動的に設定を行うことができる。
【０００４】
又、特許文献２には、複数の端末で共有される共通情報を端末間で選択的に移送する技術が開示されている。
【０００５】
この技術によれば、情報管理のサーバ機能を具備すると共に共通情報を保持する第一のＰＣに、情報管理のクライアント機能を具備すると共に共通情報を保持する携帯端末を接続する。そして、前記第一のＰＣが保持する共通情報が前記携帯端末が保持する共通情報よりも新しい情報である場合に、第一のＰＣが保持する共通情報を携帯端末に移送する。次に、情報管理のサーバ機能を具備すると共に共通情報を保持する第二のＰＣに前記携帯端末を接続し、当該携帯端末が保持する共通情報が当該第二のＰＣが保持する共通情報よりも新しい情報である場合に、携帯端末が保持する共通情報を当該第二のＰＣに移送する。これにより、前記第一のＰＣと前記第二のＰＣの共通情報を最新の情報に合わせることができる。
【先行技術文献】
【特許文献】
【０００６】
【特許文献１】特開２００６−３３９８０３号公報
【０００７】
【特許文献２】特開２００２−１１６９６６号公報
【発明の概要】
【発明が解決しようとする課題】
【０００８】
しかしながら、特許文献１に記載の技術は、工事者が、予め区切られたネットワーク毎に共通の設定データファイルを作成して一括設定を行うものであり、同一のネットワーク内であっても利用者によって異なるＩＰ電話端末個々の機能設定を行いたい場合や、異なるネットワークに接続されたＩＰ電話端末に対し同じ機能設定を行う場合については考慮していない。
【０００９】
また、特許文献２に記載の技術は、端末（ＰＣ）間で同じ設定を行うための技術であるが、設定の度に携帯端末を準備して端末（ＰＣ）への接続作業を行わなければならず、設定作業の効率化を損なう。
【００１０】
本発明は上記事情に鑑みてなされたものであり、本発明の目的は、電話端末個々の機能設定をネットワーク構成とは無関係に、かつ設定に関する特別な接続作業やインタフェースを要せずにユーザが理解しやすい簡単な操作で電話端末個々の機能設定を実行する技術を提供することにある。
【課題を解決するための手段】
【００１１】
上記課題を解決するために、本発明の態様は、自電話端末が着信を受付けて応答した後、相手電話端末から設定データ送信要求信号の受信と、自電話端末の操作者の所定の操作と、を検出した場合に、自電話端末に設定済みの設定データを複写して相手電話端末に送信する。また、自電話端末が発信し、相手電話端末が応答した後、自電話端末の操作者から所定の操作を検出した場合に、設定データ送信要求信号を相手電話端末に送信する。そして、相手電話端末から設定データを受信するとその設定データで自電話端末の設定を更新する。
【００１２】
例えば、本発明の態様は、電話機の機能または動作に係わる複数の設定項目を具備する電話端末であって、他電話端末との通話中に自電話端末に対して特定操作が為されると前記他電話端末に対して前記他電話端末に設定されている所定の設定項目に係わる設定データの送信を要求する設定データ送信要求手段と、前記他電話端末から前記設定項目に係わる設定データを受信すると当該設定データを自電話端末に設定する設定手段と、他電話端末から通話中に自電話端末に対して設定データの送信を要求され、且つ、自電話端末に対して送信を許可する特定操作が為されると、自電話端末に設定されている所定の設定項目に係わる設定データを送信する設定データ送信手段と、他電話端末から着信があった場合に当該着信がグループ着信、個別着信、外線着信のいずれかの着信形態であるかを記憶する着信形態記憶手段と、前記着信形態の種別と前記複数の設定項目の各々を対応付けて記憶する着信種別対応設定項目記憶手段と、を有し、他電話端末から通話中に自電話端末に対して設定データの送信を要求され、且つ、自電話端末に対して送信を許可する特定操作が為されると、着信種別対応設定項目記憶手段を参照して、自電話端末に設定されている設定項目の内、当該着信形態に係わる設定データを前記通話中の他電話端末に送信することを特徴とする。
【発明の効果】
【００１３】
電話端末の機能設定に関し、ネットワークとは無関係に、ユーザにわかりやすい簡単な方法で柔軟性のある設定作業を効率的に行える。
【図面の簡単な説明】
【００１４】
【図１】図１は、本発明の一実施の形態に係る電話端末１を含む電話システムの概略図である。
【図２】図２は、本実施の形態に係る電話端末１が他の電話端末１の個別の設定と同じ設定を自電話端末に行う場合の動作を説明するためのシーケンス図である。
【図３】図３は、本実施の形態に係る電話端末１が他の電話端末１の内線グループ設定に関する設定と同じ設定を自電話端末に行う場合の動作例を説明するためのシーケンス図である。
【図４】図４は、本実施の形態に係る電話端末１が他の電話端末１の外線設定と同じ設定を自電話端末に行う場合の動作例を説明するためのシーケンス図である。
【図５】図５は、電話端末１の概略機能構成図である。
【図６】図６は、着信形態対応設定項目テーブル１０３０の記憶内容を模式的に表した図である。
【図７】図７は、本実施の形態に係る電話端末１の設定データ要求信号の送信と設定データの受信に関する動作を説明するためのフロー図である。
【図８】図８は、本実施の形態に係る電話端末１の設定データ要求信号の受信と設定データの送信に関する動作を説明するためのフロー図である。
【発明を実施するための形態】
【００１５】
以下に、本発明の実施の形態について説明する。
【００１６】
図１は、本発明の一実施の形態に係る電話端末１を含む電話システムの概略図である。
【００１７】
図示するように、本実施の形態に係る電話端末１を含む電話システムは、ＬＡＮ３に接続された電話端末１と、ＬＡＮ３とＷＡＮ４に接続されたサーバ／ゲートウェイ２と、を有する。ここで、サーバ／ゲートウェイ４は、電話端末１を登録するレジストラサーバ機能と、電話端末１のセッションに関連するメッセージを転送するプロキシサーバ機能と、ＬＡＮ３とＷＡＮ４の中継を行い電話回線に関連する制御を行うゲートウェイ機能と、を有する。また、本説明では、電話端末１のうち、電話端末１−１が既に端末個別設定と内線グループ設定と外線設定を完了している電話端末であり、内線グループＡと内線グループＢの両方に属しているものとする。また、電話端末１−２は新規に端末個別設定と内線グループ設定と外線設定を行う電話端末である。ここで端末個別設定とは、自端末指定の内線着信における鳴動音、着信時の表示や捕捉ボタンの割付、保留転送操作、保留音、、自動転送電話や留守番電話の起動解除条件（曜日や時刻）、代理応答操作、待機時の表示画面の内容（年月日、時刻、カレンダー、インスタントメッセージの表示位置）、電話帳や発着信履歴、プログラマブルキーに関する設定である。また、内線グループ設定とは、内線グループへ参加するための情報、着信鳴動音、着信表示や捕捉ボタンの割付、保留転送操作、プレゼンス表示、一斉通知に関する設定である。また、外線設定とは、複数敷設されている回線のうち利用する回線、着信鳴動音、着信表示、捕捉ボタンの割付、保留転送操作や短縮ダイヤルに関する設定である。
【００１８】
図２は、本実施の形態に係る電話端末１−１が他の電話端末１−２の個別の設定と同じ設定を自電話端末に行う場合の動作を説明するためのシーケンス図である。ここで、電話端末１−２のユーザは、設定内容や電話端末１−２単独での設定方法を知らない状況にあるが、電話端末１−１と同じ端末個別設定を要求しているものとする。尚、本説明では、電話のセッションに係わるメッセージそのものに対する応答メッセージは省略し、登録および電話の発着信、切断等の動作がわかるメッセージに変更して説明する。
【００１９】
電話端末１−２は、ユーザによる電源投入などの起動操作により起動処理を行い（ステップ１００）、サーバ／ゲートウェイ２に登録を行う（ステップ１０１）。ここで、電話端末１−２に対しユーザからの設定がなにも成されていない場合、デフォルト設定での仮登録となる。また、電話端末１−２はこの仮登録によって電話発信が可能となる。
【００２０】
次に、電話端末１−２は、ユーザから電話端末１−１への個別発信操作を受け付けると、個別発信メッセージをサーバ／ゲートウェイ２に送信する（ステップ１０２）。ここで個別発信とは、一つの電話端末１に対して行う発信である。これを受けたサーバ／ゲートウェイ２は、電話端末１−１にその個別発信メッセージを転送する（ステップ１０３）。
【００２１】
サーバ／ゲートウェイ２から個別発信メッセージを受信した電話端末１−１は、着信鳴動を行い（ステップ１０４）、電話端末１−１のユーザが応答するのを待つ。
【００２２】
電話端末１−１は、ユーザからの応答操作を受け付けると、応答メッセージをサーバ／ゲートウェイ２に送信する（ステップ１０５）。これを受けたサーバ／ゲートウェイ２は、電話端末１−１にその応答メッセージを転送し（ステップ１０６）、電話端末１−２との呼接続処理を行う。これにより、電話端末１−１と電話端末１−２の通話呼が確立する（ステップ１０７）。通話呼が確立すると、電話端末１−１は、確立した通話呼の着信形態を記憶する（ステップ１０８）。ここでは着信形態として「個別着信」が記憶される。ここで個別着信とは前記個別発信に対応した着信のことである。
【００２３】
次に、電話端末１−２は、ユーザからの所定の操作（設定データを要求する操作）を検出すると設定データ要求信号を送信する（ステップ１０９）。ここで所定の操作とは、予め定められたテンキー押下の他、所定時間内（切断と判断される時間以内）のフックボタンの押下、または特別に具備された専用ボタンの押下である。また、設定データ要求信号とは、ＰＢ信号の他、特別に定められたメッセージである。
【００２４】
電話端末１−２より、設定データ要求信号を受信した電話端末１−１は、自電話端末のユーザからの所定の操作（設定データ要求に対する許可を示す操作）を待つ。ここで所定の操作とは、電話端末１−１のユーザが行う操作と同じ操作である。尚、一つの操作を定めるのではなく、電話端末１−２のユーザが任意にボタンを選択し、電話端末１−１のユーザが同じ操作を行った場合に設定データ要求に対する許可と判断しても良い。また、電話端末１−１の表示部に設定データの要求を示すメッセージを表示し、そこに許可する場合の操作方法を示しても良い。
【００２５】
次に、電話端末１−１は、ユーザからの所定の操作を検出すると、当該通話呼を確立した着信形態が個別着信であることから、自電話端末に設定済みの個別着信に対応した設定項目に係わる設定データを選択し、複写する（ステップ１１０）。
【００２６】
そして、電話端末１−１は複写した設定データを電話端末１−２に送信する（ステップ１１１）。ここで、設定データは音声信号に変換、またはメッセージとして送信する。
【００２７】
設定データを受信した電話端末１−２は、ユーザからの切断操作を待つ。そして、ユーザからの切断操作を検出した電話端末１−２は、切断メッセージをサーバ／ゲートウェイ２に送信する（ステップ１１２）。これを受けたサーバ／ゲートウェイ２は、この切断メッセージを電話端末１−１に送信し（ステップ１１３）、これにより通話呼は開放される。
【００２８】
通話呼が開放された後、電話端末１−２は、受信した設定データにより自電話端末の設定を更新する（ステップ１１４）。
【００２９】
図３は、本実施の形態に係る電話端末１−２が他の電話端末１（電話端末１−１を含む）の内線グループに関する設定と同じ設定を自電話端末に行う場合の動作例を説明するためのシーケンス図である。ここで、電話端末１−２のユーザは、設定内容や電話端末１−２単独での設定方法を知らない状況にあるが、電話端末１−１が所属する内線グループのうち内線グループＢの設定を要求しているものとする。尚、本説明では、電話のセッションに係わるメッセージそのものに対する応答メッセージなどは省略し、登録および電話の発着信、切断等の動作がわかるメッセージに変更して説明する。
【００３０】
電話端末１−２は、ユーザによる電源投入などの起動操作により起動処理を行い（ステップ２００）サーバ／ゲートウェイ２に登録を行う（ステップ２０１）。次に、電話端末１−２は、ユーザからの電話端末１−１が所属する内線グループＢへの内線グループ発信操作を受け付けると、内線グループ発信のメッセージをサーバ／ゲートウェイ２に送信する（ステップ２０２）。これを受けたサーバ／ゲートウェイ２は、電話端末１−１を含む内線グループＢに所属する電話端末１全てに、その内線グループ発信メッセージを転送する（ステップ２０３、２０４）。
【００３１】
サーバ／ゲートウェイ２から内線グループ発信メッセージを受けた電話端末１−１を含む内線グループＢに所属する電話端末１は、着信鳴動を行い（ステップ２０５、２０６）、電話端末１−１を含む内線グループＢに所属する電話端末１の何れかのユーザが応答するのを待つ。
【００３２】
ここでは、電話端末１−１のユーザが応答するものとするが、内線グループＢに所属する電話端末１の何れのユーザが応答しても良い。
【００３３】
電話端末１−１は、ユーザからの応答操作を受け付けると、応答メッセージをサーバ／ゲートウェイ２に送信する（ステップ２０７）。これを受けたサーバ／ゲートウェイ２は、電話端末１−１にその応答メッセージを転送する（ステップ２０８）。これにより、電話端末１−１と電話端末１−２の通話呼が確立する（ステップ２０９）。
【００３４】
そして、電話端末１−１は、着信形態を記憶する（ステップ２１０）。ここでは着信形態として「内線グループ着信」が記憶される。
【００３５】
次に、電話端末１−２は、ユーザからの所定の操作（設定データを要求する操作）を検出すると設定データ要求信号を送信する（ステップ２１０）。ここで所定の操作とは、図２で説明した操作と同じである。また、設定データ要求信号とは、ＰＢ信号の他、特別に定められたメッセージでも良い。
【００３６】
電話端末１−２より、設定データ要求信号を受信した電話端末１−１は、自電話端末のユーザからの所定の操作（設定データ要求に対する応答操作）を待つ。ここで所定の操作とは、図２で説明した操作と同じである。
【００３７】
次に、電話端末１−１は、ユーザからの所定の操作を検出すると、この通話呼を確立した着信形態が内線グループ着信であることから、自電話端末に設定済みで内線グループ着信対応の設定項目に関する設定データを選択し、複写する（ステップ２１２）。但し、ここでは内線グループ着信対応の設定項目の中で、内線グループＢに関する設定データのみを選択して複写する。
【００３８】
そして、電話端末１−１は複写した内線グループＢの設定データを電話端末１−２に送信する（ステップ２１３）。ここで、設定データは音声信号に変換して送信する、又はメッセージとして送信する。
【００３９】
設定データを受信した電話端末１−２は、ユーザからの切断操作を待つ。そして、ユーザからの切断操作を検出した電話端末１−２は、切断メッセージをサーバ／ゲートウェイ２に送信する（ステップ２１４）。これを受けたサーバ／ゲートウェイ２は、この切断メッセージを電話端末１−１に送信し（ステップ２１５）、これにより通話呼は開放される。
【００４０】
通話呼が開放された後、電話端末１−２は、受信した設定データにより自電話端末の内線グループ設定を更新する（ステップ２１６）。
【００４１】
そして、電話端末１−２は自動的に再起動を行う（ステップ２１７）。
【００４２】
再起動された電話端末１−２は、内線グループ設定が更新されているため、その設定内容にて、サーバ／ゲートウェイ２に内線グループＢへの参加を含む登録を行う（ステップ２１８）。
【００４３】
図４は、本実施の形態に係る電話端末１−１が他の電話端末１の外線設定と同じ設定を自電話端末に行う場合の動作例を説明するためのシーケンス図である。ここで、電話端末１−２のユーザは、設定内容や電話端末１−２単独での設定方法を知らない状況にあるが、電話端末１−１が利用する外線設定を要求しているものとする。尚、本説明では、電話のセッションに係わるメッセージそのものに対する応答メッセージなどは省略し、登録および電話の発着信、切断動作がわかるメッセージのみに簡略化して説明する。
【００４４】
電話端末１−２は、ユーザによる電源投入などの起動操作により起動処理を行い（ステップ３００）サーバ／ゲートウェイ２に登録を行う（ステップ３０１）。ここで、電話端末１−２に対しユーザからの外線に関する設定がなにも成されていない場合、デフォルト設定での仮登録となる。この仮登録にて１回線の外線電話発信のみ可能となる。
【００４５】
次に、電話端末１−２は、ユーザからの外線発信操作を受け付けると、外線発信のメッセージをサーバ／ゲートウェイ２に送信する（ステップ３０２）。ここで、外線ボタンの割付けを含み、外線設定が成されていない状態での外線発信操作とは、例えばテンキーの０番を押下後にダイヤル番号を押下する、所謂ゼロ番発信操作である。
【００４６】
外線発信のメッセージを受けたサーバ／ゲートウェイ２は、ＷＡＮ４を経由して電話端末１−１を含む電話端末１に発信メッセージを転送する（ステップ３０２〜３０４）。ここで電話端末１−１を含む電話端末１は、電話端末１−２のユーザがダイヤルした電話番号に対応する外線からの着信を受け付ける設定が成されているものとする。
【００４７】
サーバ／ゲートウェイ２から外線発信メッセージを受けた電話端末１−１を含む電話端末１は、着信鳴動を行い（ステップ３０５、３０６）、電話端末１−１を含む電話端末１の何れかのユーザが応答するのを待つ。
【００４８】
ここでは、電話端末１−１のユーザが応答するものとするが、外線発信メッセージを受信した電話端末１のユーザの何れが応答しても良い。
【００４９】
電話端末１−１は、ユーザからの応答操作を受け付けると、応答メッセージをサーバ／ゲートウェイ２に送信する（ステップ３０７）。これを受けたサーバ／ゲートウェイ２は、ＷＡＮ４を介して電話端末１−２にその応答メッセージを転送する（ステップ３０８、３０９）。これにより、電話端末１−１と電話端末１−２の通話呼が確立する（ステップ３１０）。
【００５０】
そして、電話端末１−１は、着信形態を記憶する（ステップ３１１）。ここでは着信形態として「外線着信」が記憶される。
【００５１】
次に、電話端末１−２は、ユーザからの所定の操作（設定データを要求する操作）を検出すると設定データ要求信号を送信する（ステップ３１２）。
【００５２】
電話端末１−２より、設定データ要求信号を受信した電話端末１−１は、自電話端末のユーザからの所定の操作（設定データ要求に対する応答操作）を待つ。ここで所定の操作とは、図２で説明した操作と同じである。
【００５３】
次に、電話端末１−１は、ユーザからの所定の操作を検出すると、この通話呼を確立した着信形態が外線着信であることから、自電話端末に設定済みで外線着信に対応した設定項目に関する設定データを選択し、複写する（ステップ３１３）。そして、電話端末１−１は複写した外線設定データを電話端末１−２に送信する（ステップ３１４）。ここで、設定データは音声信号に変換して送信する、またはメッセージとして送信する。
【００５４】
設定データを受信した電話端末１−２は、ユーザからの切断操作を待つ。
【００５５】
そして、ユーザからの切断操作を検出した電話端末１−２は、切断メッセージをサーバ／ゲートウェイ２に送信する（ステップ３１５）。これを受けたサーバ／ゲートウェイ２は、この切断メッセージをＷＡＮ４を介して電話端末１−１に送信し（ステップ３１６、３１７）、これにより通話呼は開放される。
【００５６】
通話呼が開放された後、電話端末１−２は、受信した設定データにより自電話端末の外線設定を更新する（ステップ３１８）。
【００５７】
そして、電話端末１−２は自動的に再起動を行う（ステップ３１９）。
【００５８】
再起動された電話端末１−２は、外線設定が更新されているため、その設定内容にて、サーバ／ゲートウェイ２に外線への参加を含む登録を行う（ステップ３２０）。
【００５９】
次に、電話端末１の詳細について説明する。
【００６０】
図５は、電話端末１の概略機能構成図である。
【００６１】
図示するように、電話端末１は、通信インターフェース部１００と、マンマシンインターフェース部１０１と、電話機能部１０２と、電話設定部１０３と、着信形態対応設定項目テーブル１０３０と、着信形態記憶部１０４と、設定データ要求信号送信部１０５と、設定データ要求信号受信部１０６と、設定データ送信部１０７と、設定データ選択／複写部１０８と、設定データ受信部１０９と、を有する。
【００６２】
通信インターフェース部１００は、ＬＡＮ３を介してサーバ／ゲートウェイ２や他の電話端末１と通信を行うための物理インターフェースや通信プロトコルを実装する。
【００６３】
マンマシンインターフェース部１０１は、ユーザが電話の発着信などの各種操作を行うためのインターフェースである。図示していないが、ハンドセット、スピーカ、フックボタン、ダイヤルキー、ＬＥＤランプ付のボタン等の操作部、およびＬＣＤ等の表示部を備える。
【００６４】
電話機能部１０２は、サーバ／ゲートウェイ２への登録処理や、電話発着信、インスタントメッセージの送受信などを実現するＳＩＰ（Ｓｅｓｓｉｏｎ  Ｉｎｉｔｉａｔｉｏｎ  Ｐｒｏｔｏｃｏｌ）などのプロトコルが実装される他、内線発着信、グループ発着信、マルチライン対応の外線発着信、転送機能、電話帳機能、発着信履歴機能などビジネス電話に係わる機能を備える。ここで、サーバ／ゲートウェイ２への登録処理には、ＳＩＰレジストラサーバ機能への登録とゲートウェイの内線グループ機能やマルチライン対応外線機能に対する登録がある。
【００６５】
電話設定部１０３は、電話機能部１０２で説明した各種機能の設定および更新を行う。電話設定部１０３は、通常マンマシンインターフェース部１０１を介してユーザからの設定および更新を受け付ける、または図示していないがＬＡＮ上に接続された設定用の端末（ＰＣなど）から通信インタフェース部１００を介して設定を受け付ける。また、電話設定部１０３は着信形態対応設定項目テーブル１０３０を有する。
【００６６】
着信形態対応設定項目テーブル１０３０は、着信形態毎にその着信に関連する設定項目を予め記憶している。着信形態対応設定項目テーブル１０３０については図６で説明する。
【００６７】
着信形態記憶部１０４は、電話機能部１０２から着信形態の通知を受け記憶する。そして設定データ選択／複写部１０８に記憶した着信形態を通知する。
【００６８】
設定データ要求信号送信部１０５は、マンマシンインタフェース部１０１を介して検出した所定のユーザ操作に従い、通話呼を確立している相手電話端末１に対する設定データ要求信号の送信を、電話機能部１０２を介して実行する。尚、設定データ要求信号の送信は、電話機能部１０２において他の電話端末１との通話呼が確立している場合に限り有効である。
【００６９】
設定データ要求信号受信部１０６は、通話呼を確立している相手電話端末１からの設定データ要求信号を電話機能部１０２を介して受信し、後述の設定データ送信部１０７に通知する。尚、設定データ要求信号受信部１０６は、電話機能部１０２で他の電話端末１との通話呼が確立している場合に限り有効である。
【００７０】
設定データ送信部１０７は、設定データ要求信号受信部１０６から設定データ要求信号受信の通知を受け、更にマンマシンインタフェース部１０１を経由したユーザの所定の操作を受け付けると、後述の設定データ選択／複写部１０８に設定データの選択および複写の実行を指示する。そして、複写された自電話端末１の設定データを設定データ選択／複写部１０８から取得して電話機能部１０２を介して通話呼が確立している相手電話端末１に送信する。
【００７１】
設定データ選択／複写部１０７は、設定データ送信部１０７から指示たに従い、通話呼の着信形態を着信形態記憶部１０４から取得し、取得した着信形態に対応した設定項目に関し、自電話端末に設定済みの設定データを選択し、それを複写する。そして設定データ送信部１０６に複写した設定データを引き渡す。この設定データの送信に関する動作は図８で説明する。
【００７２】
設定データ受信部１０９は、通話呼を確立している相手電話端末１から受信した設定データにより電話設定部１０３を更新する。この設定データを受信して更新するまでの動作については図７で説明する。
【００７３】
図６は、着信形態対応設定項目テーブル１０３０の記憶内容を模式的に表した図である。図示するように着信形態対応設定項目テーブル１０３０には、設定項目毎にレコード１０３１が予め記憶されている。レコード１０３１は、個別着信対応の設定項目が記憶されたフィールド１０３２と、内線グループ着信対応の設定項目が記憶されたフィールド１０３３と、外線着信対応の設定項目が記憶されたフィールド１０３４と、を有する。
【００７４】
図７は、本実施の形態に係る電話端末１の設定データ要求信号の送信と設定データの受信に関する動作を説明するためのフロー図である。このフローは、自電話端末１からの発信により、相手電話端末１との通話呼が確立した後開始される。
【００７５】
まず、設定データ要求信号送信部１０５は、マンマシンインターフェース部１０１を介してユーザによる所定の操作の検出を行う（ステップ４００）。
【００７６】
また、設定データ要求信号送信部１０５は、電話機能部１０２を介して確立中の通話呼の切断を監視する（ステップ４０６）。
【００７７】
そして、設定データ要求信号送信部１０５は、確立中の通話呼の切断を検出すると（ステップ４０６でＹＥＳ）本フローを終了する。
【００７８】
一方、設定データ要求信号送信部１０５は、ユーザによる所定の操作を検出すると（ステップ４００でＹＥＳ）、設定データ要求信号を電話機能部１０２を介して相手電話端末１に送信する（ステップ４０１）。
【００７９】
次に、設定データ受信部１０９は、設定データの受信（ステップ４０２）もしくは電話機能部１０２を介した通話呼の切断（ステップ４０７）、所定の時間経過（ステップ４０８）を監視する。
【００８０】
そして、設定データ受信部１０９は、通話呼の切断を電話機能部１０２から検出すると（ステップ４０７でＹＥＳ）本フローを終了する。
【００８１】
また、設定データ受信部１０９は、設定データを受信せず所定時間経過した場合（ステップ４０８でＹＥＳ）、マンマシンインタフェース部１０１のＬＣＤ表示画面にエラー通知を行い（ステップ４０９）、ステップ４００に戻る。
【００８２】
一方、設定データ受信部１０９は、相手電話端末１から電話機能部１０２を介して設定データを受信すると（ステップ４０２でＹＥＳ）、電話設定部１０３に対し、受信した設定データにて更新処理を実行する（ステップ４０３）。
【００８３】
また、設定データ受信部１０９は、受信した設定データが個別着信対応の設定項目に関する設定データか否か判定する（ステップ４０４）。
【００８４】
そして、設定データ受信部１０９は、受信した設定データが個別着信対応の設定項目に関する設定データの場合（ステップ４０４でＹＥＳ）、そのまま本フローを終了する。
【００８５】
一方、設定データ受信部１０９は、受信した設定データが個別着信対応の設定項目に関する設定データで無い場合、要するに、内線グループ着信対応または外線着信対応の設定項目に関する設定データの場合（ステップ４０４でＮＯ）、自電話端末１の再起動処理を実行し（ステップ４０５）、本フローを終了する。
【００８６】
図８は、本実施の形態に係る電話端末１の設定データ要求信号の受信と設定データの送信に関する動作を説明するためのフロー図である。このフローは、自電話端末１が着信し、相手電話端末１との通話呼が確立した後開始される。
【００８７】
まず、着信形態記憶部１０４は、本フローを開始した着信イベントに対する着信形態を電話機能部１０２から取得して記憶する（ステップ５００）。
【００８８】
次に、設定データ要求信号受信部１０６は、電話機能部１０２を介した相手電話端末１からの設定データ要求信号の受信（ステップ５０１）、もしくは確立中の通話呼の切断（ステップ５１０）を監視する。
【００８９】
そして、設定データ要求信号受信部１０６は、確立中の通話呼の切断を電話機能部１０２を介して検出すると（ステップ５１０でＹＥＳ）、本フローを終了する。
【００９０】
一方、設定データ要求信号受信部１０６は、相手電話端末１から設定データ要求信号を受信すると（ステップ５０１でＹＥＳ）、電話機能部１０２を介し、自電話端末１のユーザからの所定の操作（ステップ５０２）、もしくは確立中の通話呼の切断（ステップ５１１）を監視する。
【００９１】
そして、設定データ要求信号受信部１０６は、確立中の通話呼の切断を電話機能部１０２を介して検出すると（ステップ５１１でＹＥＳ）、本フローを終了する。
【００９２】
一方、設定データ要求信号受信部１０６は、電話機能部１０２を介して自電話端末１のユーザからの所定の操作を検出すると（ステップ５０２でＹＥＳ）、その旨を設定データ送信部１０７に通知する。
【００９３】
通知を受けた設定データ送信部１０７は、設定データ選択／複写部１０８に、設定データの選択と複写を指示する。
【００９４】
設定データ送信部１０７から指示を受けた設定データ選択／複写部１０８は、着信形態記憶部１０４から当該着信形態を取得する。そして設定データ選択／複写部１０８は、通話呼を確立した着信形態が、個別着信と内線グループ着信と外線着信のうちの何れであったのかを判定する（ステップ５０３、５０７）。
【００９５】
そして、設定データ選択／複写部１０８は、通話呼を確立した着信形態が個別着信の場合（ステップ５０３でＹＥＳ）、電話設定部１０３から、自電話端末に設定されている個別着信対応の設定項目に関する設定データを選択（ステップ５０４）して複写する（ステップ５０５）。そして、複写した設定データを設定データ送信部１０７に引き渡す。
【００９６】
複写された設定データを受けた設定データ送信部１０７は、電話機能部１０２を介して、相手電話端末１に設定データを送信する（ステップ５０６）。そして、本フローを終了する。
【００９７】
一方、設定データ選択／複写部１０８は、通話呼を確立した着信形態が内線グループ着信の場合（ステップ５０７でＹＥＳ）、電話設定部１０３から、自電話端末に設定されているグループ着信対応の設定項目に関する設定データを選択して（ステップ５０８）、複写する（ステップ５０５）。ここで、自電話端末１が複数の内線グループに所属している場合にはどの内線グループへの着信であったかも判別し、その内線グループに係わる設定データを選択する。そして、複写した設定データを設定データ送信部１０７に引き渡す。
【００９８】
複写された設定データを受けた設定データ送信部１０７は、電話機能部１０２を介して、相手電話端末１に設定データを送信する（ステップ５０６）。そして、本フローを終了する。
【００９９】
一方、設定データ選択／複写部１０８は、通話呼を確立した着信形態が外線着信の場合（ステップ５０７でＮＯ）、電話設定部１０３から、自電話端末に設定されている外線着信対応の設定項目に関する設定データを選択して（ステップ５０９）、複写する（ステップ５０５）。そして、複写した設定データを設定データ送信部１０７に引き渡す。
【０１００】
複写された設定データを受けた設定データ送信部１０７は、電話機能部１０２を介して、相手電話端末１に設定データを送信する（ステップ５０６）。そして、本フローを終了する。
【０１０１】
以上、本発明の実施の形態について説明した。
【０１０２】
本実施の形態に係る電話端末１は、通常の発着信動作で確立した通話呼の中で、相手電話端末１から複写した設定データを自電話端末１の設定に反映する。また、通話呼を確立した着信形態に応じて、複写する設定データを選択する。
【０１０３】
従って、本実施の形態によれば、ＬＡＮの構成とは無関係に、ユーザが設定内容や電話端末に直接設定を行う方法を知らなくとも、１台の設定済み電話端末があればそれと同じ設定を行うことができる。
【０１０４】
また、特別に電話端末を設定する環境を設けずに、電話システムの運用形態のまま設定を行える。
【０１０５】
更には、設定済みの電話端末の一部の設定を、その設定に関連する発着信形態を利用したユーザにわかりやすい方法で選択的に自電話端末１に反映させることができる。
【０１０６】
なお、本発明は上記の実施の形態に限定されるものではなく、その要旨の範囲内で数々の変形が可能である。
【０１０７】
例えば、上記の実施の形態において、設定データは電話端末１に保存されているが、サーバ／ゲートウェイ２に保存しても良い。
【０１０８】
また、図５に示す電話端末１の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、ＨＤＤ、ＤＶＤ−ＲＯＭ等の補助記憶装置、およびＮＩＣ（Ｎｅｔｗｏｒｋ  Ｉｎｔｅｒｆａｃｅ  Ｃａｒｄ）、モデム等の通信インターフェースを備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することで実現されるものでもよい。
【符号の説明】
【０１０９】
１：電話端末、２：サーバ／ゲートウェイ、３：ＬＡＮ、４：ＷＡＮ、１００：通信インターフェース部、１０１：マンマシンインターフェース部、１０２：電話機能部、１０３：電話設定部、１０３０：着信形態対応設定項目テーブル、１０４：着信形態記憶部１０４、１０５：設定データ要求信号送信部、１０６：設定データ要求信号受信部、１０７：設定データ送信部、１０８：設定データ選択／複写部、１０９：設定データ受信部
【図１】
0005664428.tif 000002
【図２】
0005664428.tif 000003
【図３】
0005664428.tif 000004
【図４】
0005664428.tif 000005
【図５】
0005664428.tif 000006
【図６】
0005664428.tif 000007
【図７】
0005664428.tif 000008
【図８】
0005664428.tif 000009